(57)【要約】【課題】映像データを複数の記録媒体に分割して記録する際に、各々の記録媒体に記録された映像データ同士で重複する部分を少なくできる映像記録装置及び映像記録方法を提供する。【解決手段】入力部２０３が入力メディア２０２の映像データの読取位置を示すオフセット情報を単位データに付加し出力部２０５に渡す。出力メディア２０６が終端に近づくと、制御部２０１は出力部２０５から、出力メディア２０６への記録が完了した映像データ最後尾の単位データに付加されたオフセット情報を受取り、入力部２０３へ擬似終了命令を出す。出力メディア２０６を交換して、入力部２０３の処理の再開位置を出力部２０５から受けたオフセット情報に基づいて設定する。これにより出力メディア２０６の交換時の映像データの重複部分を少なくできる。【選択図】図３
2008301259.tif 000002
【特許請求の範囲】
【請求項１】
映像データを単位データに分割して順次送出する映像データ送出手段と、
前記映像データ送出手段が前記単位データに分割して順次送出した前記映像データを、第１の記録媒体と第２の記録媒体とに分割して順次記録する映像データ記録手段と
を備え、
前記映像データ送出手段は、前記単位データの前記映像データ先頭からの相対位置を示すオフセット情報を、前記単位データ毎に付加しつつ前記映像データを送出し、
前記映像データ記録手段が、前記第１の記録媒体への前記映像データの記録を終了して前記第２の記録媒体への前記映像データの記録を開始するときには、
前記映像データ記録手段は、前記第１の記録媒体への記録が完了した前記映像データ最後尾の前記単位データに付加された前記オフセット情報を送出し、
前記映像データ送出手段は、前記映像データ記録手段が送出した前記オフセット情報に基づいて、前記映像データ中途から前記映像データを前記単位データに分割して順次送出し、
前記映像データ記録手段は、前記映像データ送出手段が前記映像データ中途から前記単位データに分割して順次送出した前記映像データを前記第２の記録媒体に記録する、
映像記録装置。
【請求項２】
前記映像データ送出手段が送出した前記映像データを変換し、変換後の前記映像データを前記オフセット情報と共に送出する映像データ変換手段をさらに備え、
前記映像データ記録手段は、前記映像データ変換手段が変換した前記映像データを前記記録媒体に記録する、請求項１に記載の映像記録装置。
【請求項３】
前記映像データ記録手段及び前記映像データ変換手段の少なくともいずれかは、前記単位データとは異なる大きさのデータ毎にデータ処理を行う、請求項２に記載の映像記録装置。
【請求項４】
映像データ送出手段が映像データを単位データに分割して順次送出し、
映像データ記録手段が、前記映像データ送出手段が前記単位データに分割して順次送出した前記映像データを、第１の記録媒体と第２の記録媒体とに分割して順次記録し、
前記映像データ送出手段は、前記単位データの前記映像データ先頭からの相対位置を示すオフセット情報を、前記単位データ毎に付加しつつ前記映像データを送出し、
前記映像データ記録手段が、前記第１の記録媒体への前記映像データの記録を終了して前記第２の記録媒体への前記映像データの記録を開始するときには、
前記映像データ記録手段は、前記第１の記録媒体への記録が完了した前記映像データ最後尾の前記単位データに付加された前記オフセット情報を送出し、
前記映像データ送出手段は、前記映像データ記録手段が送出した前記オフセット情報に基づいて、前記映像データ中途から前記映像データを前記単位データに分割して順次送出し、
前記映像データ記録手段は、前記映像データ送出手段が前記映像データ中途から前記単位データに分割して順次送出した前記映像データを前記第２の記録媒体に記録する、
映像記録方法。
【発明の詳細な説明】
【技術分野】
【０００１】
本発明は映像記録装置及び映像記録方法に関し、特に、映像データを複数の記録媒体に分割して記録する映像記録装置及び映像記録方法に関するものである。
【背景技術】
【０００２】
映像データを、ＤＶＤ（Digital  Versatile  Disk）等の光メディアに記録する技術が開発されている。光メディアの記録容量は限られているため、長時間にわたる映像データを記録する際には、複数の光メディアに映像データを分割して記録することが必要となる。例えば、特許文献１には、映像データの符号化データを、複数の記録媒体に分割して記録する動画像記録装置であって、複数の記録媒体に記録された符号化データ間の接続関係を示す接続情報を生成する生成手段と、接続情報を分割された各符号化データに付加する付加手段とを設けた動画像記録装置が開示されている。
【特許文献１】特開２００１−８６４６２号公報
【発明の開示】
【発明が解決しようとする課題】
【０００３】
しかしながら、上記のような記録装置では、一つの記録媒体が記録容量の限界に至った場合、そのときに当該記録媒体に書き込んでいた映像データの中途の位置から一定の閾値に基づいて位置を戻し、戻した位置から映像データを別の記録媒体に書き込むため、各々の記録媒体に記録された映像データ同士で重複する部分が大きくなるという課題がある。
【０００４】
本発明は、かかる事情に鑑みてなされたものであり、その目的は、映像データを複数の記録媒体に分割して記録する際に、各々の記録媒体に記録された映像データ同士で重複する部分を少なくすることが可能な映像記録装置及び映像記録方法を提供することにある。
【課題を解決するための手段】
【０００５】
本発明は、映像データを単位データに分割して順次送出する映像データ送出手段と、映像データ送出手段が単位データに分割して順次送出した映像データを、第１の記録媒体と第２の記録媒体とに分割して順次記録する映像データ記録手段とを備え、映像データ送出手段は、単位データの映像データ先頭からの相対位置を示すオフセット情報を、単位データ毎に付加しつつ映像データを送出し、映像データ記録手段が、第１の記録媒体への映像データの記録を終了して第２の記録媒体への映像データの記録を開始するときには、映像データ記録手段は、第１の記録媒体への記録が完了した映像データ最後尾の単位データに付加されたオフセット情報を送出し、映像データ送出手段は、映像データ記録手段が送出したオフセット情報に基づいて、映像データ中途から映像データを単位データに分割して順次送出し、映像データ記録手段は、映像データ送出手段が映像データ中途から単位データに分割して順次送出した映像データを、第２の記録媒体に記録する映像記録装置である。
【０００６】
また、本発明は、映像データ送出手段が映像データを単位データに分割して順次送出し、映像データ記録手段が、映像データ送出手段が単位データに分割して順次送出した映像データを、第１の記録媒体と第２の記録媒体とに分割して順次記録し、映像データ送出手段は、単位データの映像データ先頭からの相対位置を示すオフセット情報を、単位データ毎に付加しつつ映像データを送出し、映像データ記録手段が、第１の記録媒体への映像データの記録を終了して第２の記録媒体への映像データの記録を開始するときには、映像データ記録手段は、第１の記録媒体への記録が完了した映像データ最後尾の単位データに付加されたオフセット情報を送出し、映像データ送出手段は、映像データ記録手段が送出したオフセット情報に基づいて、映像データ中途から映像データを単位データに分割して順次送出し、映像データ記録手段は、映像データ送出手段が映像データ中途から単位データに分割して順次送出した映像データを第２の記録媒体に記録する映像記録方法である。
【発明の効果】
【０００７】
本発明の映像記録装置及び映像記録方法によれば、映像データを複数の記録媒体に分割して記録する際に、各々の記録媒体に記録された映像データ同士で重複する部分を少なくすることができる。
【発明を実施するための最良の形態】
【０００８】
以下、図面を参照しつつ本発明に係る映像記録装置及び映像記録方法の好適な実施形態としてのコンピュータ１について詳細に説明する。
【０００９】
図１に示すノートブック型パーソナルコンピュータであるコンピュータ１は、コンピュータ本体３と、コンピュータ本体３に対して開閉自在のディスプレイユニット５とを備えている。ディスプレイユニット５には、ＬＣＤ（Liquid  Crystal  Display）７が映像表示装置として組み込まれており、そのＬＣＤ７の表示画面はディスプレイユニット５のほぼ中央に位置している。
【００１０】
ディスプレイユニット５は、コンピュータ本体３に対して開放位置と閉塞位置との間を回動自在に取り付けられている。コンピュータ本体３は、薄い箱形の筐体を有しており、その上面にはキーボード９、本コンピュータ１をパワーオン／パワーオフするためのパワーボタン１１、タッチパッド１５、クリックボタン１７及びスピーカ１９が配置されている。
【００１１】
また、コンピュータ１は、ＣＤ（Compact  Disk）、ＤＶＤ−Ｒ（Digital  Versatile  Disk  Recordable）、ＤＶＤ−ＲＡＭ（Digital  Versatile  Disk  Random  Access  Memory）等の光メディアに格納されたＤＶＤ−ＶＩＤＥＯ、ＤＶＤ−ＶＲ（Video  Recording）などのフォーマットのオーディオ・ビデオ（ＡＶ）コンテンツを再生することができる。さらに、コンピュータ１は、光メディアに、ＤＶＤ−ＶＲなどのフォーマットでＡＶコンテンツを書き込むこともできる。コンピュータ本体３の側面には、ＯＤＤ（Optical  Disk  Drive）１１９（図２参照）に対して光メディアを出し入れするためのスロット２１が設けられている。
【００１２】
図２に示すように、このコンピュータ１は、ＣＰＵ１０１、ノースブリッジ１０３、メインメモリ１０５、グラフィックスコントローラ１０７、ビデオメモリ（ＶＲＡＭ）１０７ａ、サウスブリッジ１０９、ＢＩＯＳ−ＲＯＭ１１１、サウンドコントローラ１１３、ハードディスクドライブ（ＨＤＤ）１１７、ＯＤＤ１１９、エンベデッドコントローラ／キーボードコントローラＩＣ（ＥＣ／ＫＢＣ）１２１、ネットワークコントローラ１２３、ＴＶチューナ１２５等を備えている。
【００１３】
ＣＰＵ１０１は、コンピュータ１の動作を制御するプロセッサであり、ＨＤＤ１１７からメインメモリ１０５にロードされる各種プログラムを実行する。このＣＰＵ１０１によって実行される各種プログラムとしては、オペレーティングシステム、ＨＤＤ１１７に録画されたＴＶ放送等の映像データを光メディアに書き込むためのＯＤ（Optical  Disk）書き込みアプリケーション１３１等が存在する。また、ＣＰＵ１０１は、ＢＩＯＳ−ＲＯＭ１１１に格納されたＢＩＯＳ（Basic  Input  Output  System；ハードウェア制御のためのプログラム）も実行する。
【００１４】
ノースブリッジ１０３は、ＣＰＵ１０１のローカルバスとサウスブリッジ１０９との間を接続するブリッジデバイスである。ノースブリッジ１０３には、メインメモリ１０５をアクセス制御するメモリコントローラも内蔵されている。また、ノースブリッジ１０３はＰＣＩ  ＥＸＰＲＥＳＳ規格のシリアルバスなどを介してグラフィックスコントローラ１０７との通信を実行する機能も有している。
【００１５】
グラフィックスコントローラ１０７は、コンピュータ１のディスプレイモニタとして使用されるＬＣＤ７を制御する表示コントローラである。グラフィックスコントローラ１０７は、ブレンド処理、スケーリング処理、ルーマキー処理等の画像処理機能を有している。このグラフィックスコントローラ１０７によって生成される表示信号は、ＬＣＤ７に送られる。また、表示信号は、コンピュータ本体３に設けられたインタフェースを介して外部のＴＶやＨＤＭＩモニタに送出することもできる。
【００１６】
サウスブリッジ１０９は、ＰＣＩ（Peripheral  Component  Interconnect）バス上の各デバイス及びＬＰＣ（Low  Pin  Count）バス上の各デバイスを制御する。また、サウスブリッジ１０９は、ＨＤＤ１１７、ＯＤＤ１１９を制御するためのＩＤＥ（Integrated  Drive  Electronics）コントローラを内蔵している。更に、サウスブリッジ１０９は、サウンドコントローラ１１３との通信を実行する機能も有している。サウンドコントローラ１１３は音源デバイスであり、再生対象のオーディオデータをスピーカ１９に出力する。
【００１７】
エンベデッドコントローラ／キーボードコントローラＩＣ（ＥＣ／ＫＢＣ）１２１は、電力管理のためのエンベデッドコントローラと、キーボード９、タッチパッド１５、及びクリックボタン１７を制御するためのキーボードコントローラと、が集積された１チップマイクロコンピュータである。タッチパッド１５が操作されると操作信号が生成され、この操作信号に基づいてＬＣＤ７の表示画面上に表示されたカーソルが移動する。また、このＥＣ／ＫＢＣ１２１は、ユーザによるパワーボタン１１の操作に応じてコンピュータ１をパワーオン／パワーオフする機能を有している。
【００１８】
このコンピュータ１では、ＯＤＤ１１９にＤＶＤ−Ｒ、ＤＶＤ−ＲＡＭ等の光メディア（第１の記憶媒体）が挿入され、ＣＰＵ１０１がＯＤ書き込みアプリケーション１３１を実行することで、ＨＤＤ１１７に録画されたＴＶ放送等の映像データをＯＤＤ１１９に挿入された光メディアに記録することが可能である。さらに、ＯＤ書き込みアプリケーション１３１は、映像データのデータ量が１枚の光メディアの記録容量を超えている場合は、ＯＤＤ１１９に他の光メディア（第２の記憶媒体）を順次入れ替えて挿入し、映像データを複数の光メディアに分割して記録する機能を有している。
【００１９】
次に、映像データを上記のように複数の光メディアに分割して記録することを可能にする次に、ＡＶコンテンツの前述のような再生を可能とするコンピュータ１及びＯＤ書き込みアプリケーション１３１の構成について、図３を参照し説明する。
【００２０】
図３は、図１のコンピュータ１のソフトウェアの構成を示すブロック図である。図３に示すように、本実施形態のコンピュータ１はＯＤ書き込みアプリケーション１３１により動作するソフトウェアの構成として、制御部２０１、入力メディア（録画ファイル）２０２、入力部（File  Reader）２０３、変換部（Transcoder）２０４、出力部（DVD  Writer）２０５及び出力メディア２０６を備えている。入力部２０３、変換部２０４及び出力部２０５は自立的に動作し、制御部２０１によって制御される。図中、実線の矢印はデータの流れを示し、破線の矢印は制御の流れを示す。
【００２１】
入力メディア２０２は、例えばＴＶチューナ１２５により受信された地上波デジタルＴＶのコンテンツに係る映像データが暗号化されてＨＤＤ１１７に録画されたファイルである。
【００２２】
入力部２０３は、ＨＤＤ１１７がＯＤ書き込みアプリケーション１３１により動作することによって、入力メディア２０２から映像データを読み出し、映像データを一定のデータ量の単位データに分割して順次送出するためのものである。また、入力部２０３は、映像データの単位データを送出する際、単位データの映像データ先頭からの相対位置を示すオフセット情報を単位データ毎に付加しつつ単位データを送出する。入力部２０３は、特許請求の範囲に記載の映像データ送出手段として機能する。
【００２３】
変換部２０４は、録画したコンテンツに係る映像データを別の光メディアに保存する場合、そのままの形態では光メディアに書き込むことが出来ないため、入力部２０３から送出された映像データのファイル形式やシステムフォーマット、映像・音声フォーマット、解像度を別のものに変換するトランスコード処理を行うためのものである。変換部２０４は、特許請求の範囲に記載の映像データ変換手段として機能する。
【００２４】
出力部２０５は、ＯＤＤ１１９がＯＤ書き込みアプリケーション１３１により動作することによって、変換部２０４により変換された映像データを出力メディア２０６に記録するためのものである。出力部２０５は出力メディア２０６に出力するフォーマットによっては必要とされる暗号化処理（たとえば、ＤＶＤ−ＶＲにおけるＣＰＲＭ）も行う。出力部２０５は、特許請求の範囲に記載の映像データ記録手段として機能する。
【００２５】
出力メディア２０６は、ＤＶＤ−Ｒ、ＤＶＤ−ＲＡＭ等の光メディアである。出力メディア２０６は、特許請求の範囲に記載の記録媒体として機能する。
【００２６】
なお、入力部２０３は、映像データを一定のデータ量の単位データに分割して順次送出するが、変換部２０４及び出力部２０５では、それぞれ単位データのデータ量とは異なる大きさのデータ毎にデータ処理を行う。
【００２７】
以下、本実施形態のコンピュータ１が入力メディア２０２から映像データを読み出し、映像データを複数の出力メディア２０６に分割して記録する際の動作について説明する。図４は、映像データをメディアへ書き込む際の通常の動作を示すシーケンス図である。
【００２８】
図４に示すように、制御部２０１は、入力部２０３に対して処理開始命令を発する（Ｓ１１）。入力部２０３は、自発的に入力メディア２０２から映像データを単位データのデータサイズ毎に読み取る（Ｓ１２）。入力部２０３は、単位データ毎に付加情報をつけて変換部２０４に順次送信を行う（Ｓ１３）。この付加情報には、入力部２０３が読み取り終わった入力メディア２０２の映像データの先頭からの相対位置を示すオフセット情報を含んでいる。
【００２９】
変換部２０４は、単位データ毎に変換処理を行い（Ｓ１４）、出力部２０５に映像データを送信する（Ｓ１５）。変換部２０４は、入力部２０３から受け取ったオフセット情報を加工せずそのまま送信する。出力部２０５は、受け取った映像データを出力メディア２０６に書き込む（Ｓ１６）。また、内部情報として、受け取ったオフセット情報を記憶しておく。制御部２０１の命令後は、入力部２０３、変換部２０４及び出力部２０５が自発的に動作し、他の命令があるまで動き続ける。
【００３０】
次に、一つの出力メディア２０６の記録容量が限界に至り、他の出力メディア２０６に交換して映像データの記録を続行する際の動作について説明する。図５は、映像データを他の出力メディア２０６へ書き込む際の出力メディア２０６の交換時の動作を示すシーケンス図である。
【００３１】
図５に示すように、出力部２０５は、図４に示す処理中に出力メディア２０６が終端（ＥＯＦ：End  Of  File）に近づき、出力メディア２０６の残り容量がある閾値以下になったことを検知する（Ｓ２１）。出力部２０５は、出力メディア２０６の残り容量がある閾値以下になった旨の終端到達通知を制御部２０１に通知する（Ｓ２２）。
【００３２】
終端到達通知を通知された制御部２０１は、入力部２０５に擬似終了命令を発行する（Ｓ２３）。入力部２０３は、入力メディア２０２から映像データを読取り、単位データ毎に送出する処理を中断して、下流の変換部２０４及び出力部２０５に対してファイル終端通知を送る（Ｓ２４）。下流は随時このファイル終端通知を受信して処理を中断して、さらに下流側にファイル終端通知を流し（Ｓ２５）、最後にこのファイル終端通知を受け取った出力部２０５は、制御部２０１に終了通知を行う（Ｓ２６）。このファイル終端通知には、出力メディア２０６への記録が完了した映像データ最後尾の単位データに付加され、出力部２０５に記憶されていたオフセット情報が含まれる。
【００３３】
制御部２０１は、出力メディア２０６を別のものに交換すること促すメッセージをＬＣＤ７等に表示する（Ｓ２７）。制御部２０１は、出力部２０５に記憶され、ファイル終端通知に含まれるオフセット情報に基づいて、入力部２０１が入力メディア２０２の映像データを読取り、単位データ毎に送出する位置を変更する位置補正を行う（Ｓ２８）。
【００３４】
この位置補正後の入力メディア２０２の映像データの読取は、出力メディア２０６への記録が完了した映像データ最後尾の単位データより映像データ先頭側であって、安全に映像データを交換した出力メディア２０６に記録することが可能な位置から行われる。あるいは、位置補正後の入力メディア２０２の映像データの読取は、出力メディア２０６への記録が完了した映像データ最後尾の単位データの次の単位データから入力メディア２０２の映像データを読取り、下流に送出することにより、各々の出力メディア２０６に記録した映像データ同士で重複する部分を無くすことができる。
【００３５】
制御部２０１は処理開始命令を入力部２０３に発し（Ｓ２９）、入力部２０３、変換部２０４、出力部２０５は、交換された出力メディア２０６に対して、図４に示したのと同様の処理を再開する。交換された出力メディア２０６の記録容量が限界に至った場合は、再度、図５に示す処理が行われる。
【００３６】
本実施形態によれば、入力部２０３が入力メディア２０２の映像データの内、実際読み取った位置を示すオフセット情報を映像データの単位データに付加して変換部２０４に渡し、変換部２０４は、映像データの単位データのうち、実際に変換処理を行えた単位データに付加されたオフセット情報を出力部２０５に渡す。出力部２０５は単位データを出力メディアに書き込む際、変換部２０４から受け取ったオフセット情報２０１を内部で保存し、制御部２０１がいつでも受け取れる様にしている。そして、出力メディア２０６が終端に近づいたとき、制御部２０１は出力部２０５から、出力メディア２０６への記録が完了した映像データ最後尾の単位データに付加されたオフセット情報を受け取り、入力部２０３へ擬似的な終了命令を出す。その後、出力メディア２０６を交換して処理を再開するとき、入力部２０３の再開位置を出力部２０５から受け取ったオフセット情報に基づいて設定する。これにより、出力メディア２０６の交換時の映像データの重複部分を極力少なくできる。このため、ユーザにとっては、映像データの重複部分が少なくなることにより、ＤＶＤ等の容量の損失を軽減することができる。また、コンテンツプロバイダにとっては、映像データの重複する部分を少なくすることができる。
【００３７】
さらに、本実施形態のおいては、変換部２０４及び出力部２０５では、単位データのデータ量とは異なる大きさのデータ量毎にデータ処理を行う。このため、下流における処理に遅延が生じ、入力部２０３で読取・送出の処理が完了した映像データの全てが、必ずしも下流の変換部２０４及び出力部２０５で処理済みとなっていない場合があり得る。しかし、本実施形態においては、出力メディア２０６を交換して処理を再開するとき、入力部２０３の再開位置を、出力メディア２０６への記録が完了した映像データ最後尾の単位データに付加されたオフセット情報に基づいて設定するため、映像データの消失や重複部分が大きくなることを防ぎつつ、映像データを複数の出力メディア２０６に分割して記録することができる。
【００３８】
以上、本発明の実施の形態について説明したが、本発明は、上記実施形態に限定されるものではなく種々の変形が可能である。
【図面の簡単な説明】
【００３９】
【図１】本発明に係る映像記録装置の一実施形態であるコンピュータを示す斜視図である。
【図２】図１のコンピュータのハードウェアの構成を示すブロック図である。
【図３】図１のコンピュータのソフトウェアの構成を示すブロック図である。
【図４】映像データをメディアへ書き込む際の通常の動作を示すシーケンス図である。
【図５】映像データをメディアへ書き込む際のメディアの交換時の動作を示すシーケンス図である。
【符号の説明】
【００４０】
１…コンピュータ、３…コンピュータ本体、５…ディスプレイユニット、７…ＬＣＤ、９…キーボード、１１…パワーボタン、１５…タッチパッド、１７…クリックボタン、１９…スピーカ、２１…スロット、１０１…ＣＰＵ、１０３…ノースブリッジ、１０５…メインメモリ、１０７…グラフィックスコントローラ、１０７ａ…ＶＲＡＭ、１０９…サウスブリッジ、１１１…ＢＩＯＳ−ＲＯＭ、１１３…サウンドコントローラ、１１７…ＨＤＤ、１１９…ＯＤＤ、１２１…ＥＣ／ＫＢＣ、１２３…ネットワークコントローラ、１２５…ＴＶチューナ、１３１…ＯＤ書き込みアプリケーション、２０１…制御部、２０２…入力メディア、２０３…入力部、２０４…変換部、２０５…出力部、２０６…出力メディア。
【図１】
2008301259.tif 000003
【図２】
2008301259.tif 000004
【図３】
2008301259.tif 000005
【図４】
2008301259.tif 000006
【図５】
2008301259.tif 000007